(57)【特許請求の範囲】
【請求項１】
外線を収容するとともに内線インタフェースを有する主装置と、前記内線インタフェースを介し前記主装置に収容され、複数の利用者がそれぞれ専用に利用する複数のボタン電話機とからなるボタン電話装置において、
前記複数の利用者がそれぞれ所有する複数の移動電話機と、
前記複数の移動電話機を収容しかつ前記内線インタフェースを介して前記主装置に接続されるとともに、外部からの電波が届く位置に設置される受信装置と
を備え、かつ前記主装置は、ボタン電話機の内線番号と前記受信装置に収容された移動電話機とを関連づけて設定する設定手段を備え、前記受信装置は収容した移動電話機への前記電波による着信を検出するとこの着信をこの移動電話機の着信情報として主装置に報知し、主装置は移動電話機の着信情報が前記受信装置から報知されると、この移動電話機に対応して前記設定手段により設定されている内線番号のボタン電話機に対しこの着信情報を通知し表示させることを特徴とするボタン電話装置。
【請求項２】
請求項１において、
前記主装置は、着信情報が通知されたボタン電話機の着信応答操作を検出すると応答操作したボタン電話機と着信が検出された移動電話機との間の通話パスを形成することを特徴とするボタン電話装置。
【請求項３】
請求項１において、
前記主装置は、受信装置から着信情報が報知されたときに空き通話パスがない場合はボタン電話機に対し前記着信情報の表示と、前記通話パスの塞がりを示す情報の表示とを行わせることを特徴とするボタン電話装置。
【発明の詳細な説明】
【０００１】
【発明の属する技術分野】
本発明は、外線及び複数のボタン電話機を収容するボタン電話装置に関する。
【０００２】
【従来の技術】
この種のボタン電話装置は、会社などの事業所に設置され社員の業務用として使用されている。こうしたボタン電話装置は外線通話の他にボタン電話機間の通話（即ち、内線通話）も可能である。
一方、近年は個人の連絡手段として携帯電話機やＰＨＳ電話機などの移動電話機が急速に普及しつつあり、社員は会社内においては、自身に業務用として割り当てられてボタン電話機を利用するとともに、自身が所有する移動電話機も利用が可能である。
【０００３】
【発明が解決しようとする課題】
しかしながらこうした移動電話機は電波を利用していることから、会社内では電波が届かず使用できないことがある。したがって、その移動電話機を所持した社員が会社内に居る場合、外部からその移動電話機宛に発呼して社員に連絡しようとしても確実に連絡をとることができないという課題があった。
【０００４】
したがって本発明は、外部から会社内の移動電話機宛に発呼してその移動電話機を所有する社員に連絡する場合、確実な連絡を可能にすることを目的とする。
【０００５】
【課題を解決するための手段】
このような課題を解決するために本発明のボタン電話装置は、主装置に内線インタフェースを介して複数の利用者がそれぞれ専用に利用する複数のボタン電話機と受信装置を接続し、かつ受信装置に上記複数の利用者がそれぞれ所有する複数の移動電話機を収容するとともに、外部からの電波が届く位置に前記受信装置を設置するように構成し、さらに主装置に、ボタン電話機の内線番号と受信装置に収容された移動電話機とを関連づけて設定する設定手段を設け、受信装置は収容した移動電話機への電波による着信を検出するとこの着信をこの移動電話機の着信情報として主装置に報知し、主装置はこの移動電話機に対応して設定手段により設定されている内線番号のボタン電話機に対しこの着信情報を通知し表示させるようにしたことにより特徴づけられる。
また、主装置は、着信情報が通知されたボタン電話機の着信応答操作を検出すると応答操作したボタン電話機と着信検出された移動電話機との間の通話パスを形成するものである。
また、主装置は、受信装置から着信情報が報知されたときに空き通話パスがない場合はボタン電話機に対し着信情報の表示と、通話パスの塞がりを示す情報の表示とを行わせるものである。
【０００６】
【発明の実施の形態】
以下、本発明の実施の形態を図面を参照して説明する。
図２は本発明に係るボタン電話装置の概略の構成を示す図であり、ボタン電話装置は、会社のビル１内に配設される。このボタン電話装置は、複数の外線Ｌｍを収容する主装置２と、主装置２に接続される複数のボタン電話機３Ａ，３Ｂ，３Ｃ，・・・と、主装置２に接続されるインタフェースボックス４とからなり、インタフェースボックス４には複数の移動電話機５Ａ，５Ｂ，５Ｃ，・・・が収容可能になっている。
【０００７】
ここで、主装置２には音声及びデータのデジタル通信が可能なデジタル内線インタフェース２Ａ（以下、内線インタフェース２Ａ）が設けられ、主装置２はこの内線インタフェース２Ａを介して各ボタン電話機３Ａ，３Ｂ，３Ｃ，・・・と接続される。また、主装置２は内線インタフェース２Ａを介して前記インタフェースボックス４と接続されるとともに、インタフェースボックス４はビル１内の中で外部からの電波の受信が可能なエリア６に設置される。
【０００８】
ボタン電話装置の主装置２は外線に着信が到来すると、内線インタフェース２Ａを介してボタン電話機３Ａ〜３Ｃに着信を報知するとともに、何れかのボタン電話機３の着信応答操作を内線インタフェース２Ａを介して検出すると後述のスイッチ２Ｃを制御してそのボタン電話機３と着信外線との通話パスを接続しボタン電話機３に着信応答通話を行わせる。また、主装置２は、各ボタン電話機３Ａ〜３Ｃのうち何れかのボタン電話機３の外線発信操作を内線インタフェース２Ａを介して検出すると外線を介し相手の呼び出しを行い、相手がその呼出に応答するとスイッチ２Ｃを制御してボタン電話機３の外線通話パスを接続しそのボタン電話機３に外線通話を行わせる。さらに、主装置２は、たとえばボタン電話機３Ａのボタン電話機３Ｃに対する内線発信操作を検出するとボタン電話機３Ｃへの呼び出しを行い、ボタン電話機３Ｃがその呼び出しに応答するとスイッチ２Ｃを制御してボタン電話機３Ａと３Ｃ間の内線通話パスを接続して内線通話を行わせる。
【０００９】
ところでこのようなボタン電話機３Ａ〜３Ｃは、ボタン電話装置が設置されている会社の各社員に割り当てられ各社員が業務用に用いるものである。また、携帯電話機またはＰＨＳ電話機等の各移動電話機５Ａ〜５Ｃは各社員がそれぞれプライベート用として用いるものであり、予め移動電話機５Ａはボタン電話機３Ａと、また移動電話機５Ｂはボタン電話機３Ｂと、さらに移動電話機５Ｃはボタン電話機３Ｃとそれぞれ対応づけて主装置２の図示しないメモリに登録される。ここで、会社に出勤した各社員が自身の移動電話機５をインタフェースボックス４上に載置するとその移動電話機５はインタフェースボックス４と接続される。
【００１０】
この場合、インタフェースボックス４に収容されている例えば移動電話機５Ｂに対し外部から着信が到来すると移動電話機５Ｂから着信データがインタフェースボックス４側に出力され、主装置２に伝達される。すると主装置２は、外部から移動電話機５Ｂ宛の着信が入ったことを認識し、その移動電話機５Ｂを所有する社員が業務用に使用しているボタン電話機３Ｂに対して内線インタフェース２Ａを介し着信を報知する。そして着信中のボタン電話機３Ｂの応答操作が検出されると、主装置２はスイッチ２Ｃを制御してボタン電話機３Ｂとインタフェースボックス４の該当の移動電話機５Ｂとの通話パスを接続し、これにより、該当の社員はボタン電話機３Ｂを介して外部発呼者と通話を行うことができる。したがって、外部から会社内の移動電話機宛に発呼してその移動電話機を所有する社員に連絡をとることができる。
【００１１】
図１は上記ボタン電話装置の要部構成を示すブロック図であり、移動電話機を収容するインタフェースボックス４の構成を示すものである。
図１において、主装置２には、上述した内線インタフェース２Ａの他に、外線Ｌｍとのインタフェースである外線インタフェース２Ｂ、及び通話路スイッチである上述のスイッチ２Ｃが設けられていると共に、主装置２の全制御を行う制御部２Ｄが設けられている。
また、インタフェースボックス４には、伝送回路４１と、移動電話機５Ａ，５Ｂ，・・・，５Ｎにそれぞれ接続される移動電話機インタフェース４２Ａ，４２Ｂ，・・・，４２Ｎと、音声処理部４３Ａ，４３Ｂ，・・・，４３Ｎと、制御部４４と、メモリ４５と、以上の各部に電源を供給する電源部４６とが設けられている。
【００１２】
ここで、インタフェースボックス４内の伝送回路４１は、音声及びデータのデジタル通信が可能な主装置１の内線インタフェース２Ａと接続され音声及び制御データ等をデジタル伝送するものである。したがって、インタフェースボックス４に割り当てられる通話パスが例えば２つの場合には、各通話パスをそれぞれ２線で構成することにより伝送回路４１と主装置２の内線インタフェース２Ａ間を４線で接続することが可能である。この場合、１つのパスは音声信号が送受される通話チャネルと制御データが送受される制御チャネルとに時分割され、伝送回路４１は制御部４４の制御の下に各移動電話機５Ａ，５Ｂ，・・・，５Ｎの音声信号のうち、１つの移動電話機の音声信号を通話チャネルに割り当てる。
【００１３】
なお、音声信号を送受する２つの通話パスを例えばＩＳＤＮのＢ１及びＢ２チャネルとして割り当て、かつ制御データを送受するチャネルをＤチャネルとして割り当てるようにすれば、伝送回路４１と主装置２の内線インタフェース２Ａ間を２線で接続できる。この場合、伝送回路４１は制御部４４の制御の下に各移動電話機５Ａ，５Ｂ，・・・，５Ｎの音声信号のうち、２つの移動電話機の音声をそれぞれＢ１，Ｂ２チャネルに割り当てる。
【００１４】
また、インタフェースボックス４内の音声処理部４３Ａ，４３Ｂ，・・・，４３Ｎは、伝送回路４１を介する主装置２側からの音声信号を処理して移動電話機インタフェース４２Ａ，４２Ｂ，・・・，４２Ｎを介し移動電話機５Ａ，５Ｂ，・・・，５Ｎ側へ送出するとともに、移動電話機インタフェース４２Ａ，４２Ｂ，・・・，４２Ｎを介する移動電話機５Ａ，５Ｂ，・・・，５Ｎ側からの音声信号を処理して伝送回路４１を介し主装置２側へ送出する。また、制御部４４は、伝送回路４１を介し主装置１側からの制御データ等のデータを受信すると、この受信データを移動電話機インタフェース４２Ａ，４２Ｂ，・・・，４２Ｎを介し移動電話機５Ａ，５Ｂ，・・・，５Ｎ側へ送信するとともに、移動電話機インタフェース４２Ａ，４２Ｂ，・・・，４２Ｎを介し移動電話機５Ａ，５Ｂ，・・・，５Ｎからの制御データ等のデータを入力するとこのデータを伝送回路４１を介して主装置２へ送信する。
【００１５】
さて以上のように構成されたボタン電話装置の要部動作を図３及び図４の各フローチャートに基づいて説明する。
ここで、図３及び図４のフローチャートでは、外部から移動電話機５Ｂに着信が到来したときにこの移動電話機５Ｂの着信の旨を対応のボタン電話機３Ｂに表示する例を一例として示しているが、外部から移動電話機５Ａに着信が到来したときにはその移動電話機５Ａの着信の旨を同様に対応のボタン電話機３Ａに表示でき、また外部から移動電話機５Ｃに着信が到来したときにはその移動電話機５Ｃの着信の旨を同様に対応のボタン電話機３Ｃに表示できるものである。
【００１６】
まず図３のフローチャートに示すインタフェースボックス４の動作から説明する。
移動電話機５がインタフェースボックス４に載置され移動電話機インタフェース４２に接続されると、インタフェースボックスの制御部４４は、外部の発呼者の発呼に基づく移動電話機５Ａ〜５Ｎの着信の有無を移動電話機インタフェース４２Ａ〜４２Ｎを介して検出する。
ここで、制御部４４はインタフェースボックス４に載置され接続された例えば移動電話機５Ｂ宛の着信を移動電話機インタフェース４２Ｂを介して検出すると、ステップＳ１の「移動電話５Ｂの着信検出？」を「Ｙ」と判定する。
【００１７】
この場合、制御部４４はステップＳ２で伝送回路４１を介して主装置２に「移動電話５Ｂ着信中」の旨の着信データを送信する。これにより主装置２側では移動電話機５Ｂが着信中であることを認識すると共に、ボタン電話機３側に移動電話機５Ｂが着信中である旨の着信表示を行う。
こうした着信データの送信後、制御部４４はその移動電話機５Ｂへの着信が無くなったか否かをステップＳ３で判断するとともに、移動電話機５Ｂへの着信が継続中であれば次にこの着信中の移動電話機５Ｂに対する主装置２側からの応答要求の有無をステップＳ５で判断する。
【００１８】
ここで、移動電話機５Ｂの着信中に外部発呼者が移動電話機５Ｂへの発呼を放棄することにより、ステップＳ３の「移動電話５Ｂ着信終了か？」の判定が「Ｙ」となると、ステップＳ４で移動電話機５Ｂの着信終了を示す着信終了データを伝送回路４１を介して主装置２へ送信し、アイドル状態に移行する。これにより、主装置２の制御部２Ｄでは移動電話機５Ｂの着信状態が解除されたことを認識する。
【００１９】
また、移動電話機５Ｂへの着信中に、その移動電話機５Ｂの着信中の旨を表示しているボタン電話機３側で着信応答操作が行われると、主装置２の制御部２Ｄは内線インタフェース２Ａを介してその応答操作を検出しスイッチ２Ｃを制御して応答ボタン電話機３と移動電話機５Ｂとの内線通話パスを形成する。そして、内線インタフェース２Ａを介しインタフェースボックス４に対し移動電話機５Ｂへの着信応答要求を送信する。インタフェースボックス４の制御部４４はこの着信応答要求を伝送回路４１を介して受信すると、ステップＳ５の「主装置からの移動電話５Ｂへの着信応答要求受信か？」を「Ｙ」と判定する。
【００２０】
この場合、制御部４４はステップＳ６でその着信応答要求を移動電話機インタフェース４２Ｂを介して移動電話機５Ｂに送信し、移動電話機５Ｂに無線回線の通話チャネルを接続させる。このようにして、着信応答したボタン電話機３と外部発呼者との通話パスが主装置２，インタフェースボックス４，移動電話機５Ｂの経路で形成され、ボタン電話機３の利用者（社員）と外部発呼者との間でその通話パスを介した通話が開始される。
【００２１】
こうしたボタン電話機３の利用者と外部発呼者との通話中に、外部発呼者が終話した場合、インタフェースボックス４の制御部４４はその終話を移動電話機５Ｂの終話として検出する。そして、移動電話機５Ｂの通話終了が移動電話機インタフェース４２Ｂを介して検出されステップＳ７の判定が「Ｙ」となると、制御部４４はステップＳ８で伝送回路４１を介して主装置２へ移動電話機５Ｂの通話終了データを送信し通話中のボタン電話機３と移動電話機５との間の内線通話パスを開放させるとともに、移動電話機インタフェース４２Ｂを介し移動電話機５Ｂに無線回線の通話チャネルの開放を指示し通話チャネルを開放させる。そしてその後アイドル状態に移行する。
【００２２】
また、ボタン電話機３の利用者と外部発呼者との通話中にボタン電話機３側の終話が主装置２側で検出されると、主装置２の制御部２Ｄはスイッチ２Ｃを制御して通話中のボタン電話機３と移動電話機５との間の内線通話パスを開放すると共に、内線インタフェースボックス４に対して移動電話機５Ｂの通話終了要求を送信する。インタフェースボックス４の制御部４４は伝送回路４１を介しその通話終了要求データを受信すると、ステップＳ９の「主装置から移動電話５Ｂの通話終了要求受信か？」を「Ｙ」と判定する。この場合、制御部４４はステップＳ１０で移動電話機インタフェース４２Ｂを介し移動電話機５Ｂに通話終了要求データを送信し、通話チャネルを開放させる。
【００２３】
図４は以上のような動作を行うインタフェースボックス４に応動する主装置２の動作を示すフローチャートである。このフローチャートに基づき主装置２の要部動作を説明する。
外部発呼者が発呼することにより、インタフェースボックス４に収容されている例えば移動電話機５Ｂ宛に着信が到来すると、インタフェースボックス４では上述したように移動電話機５Ｂの着信中を示すデータを主装置２側へ送信する。主装置２の制御部２Ｄは、この着信データを内線インタフェース２Ａを介して受信すると、ステップＳ１１の「携帯電話５Ｂに着信？」を「Ｙ」と判定する。
【００２４】
この場合、制御部２ＤはステップＳ１２で内線通話パスの空きの有無を判断する。そして内線通話パスが空いていれば、その空き通話パスを確保すると共に、その移動電話機５Ｂに対応するボタン電話機３Ｂ（移動電話機５Ｂを所有する社員が業務用に使用するボタン電話機）の図示しない表示部にステップＳ１３で着信表示を行う。この着信表示内容としては、移動電話機５Ｂが着信中であり、かつその着信は応答可能な着信である旨が表示される。その後、ステップＳ１５でそのボタン電話機３Ｂの図示しない内線ランプを着信表示し、かつブザーを鳴動させる等の着信処理を行う。
【００２５】
ボタン電話機３Ｂの表示部上に表示された移動電話機５Ｂの着信中表示に対し、主装置２の制御部２Ｄがそのボタン電話機３Ｂの利用者による応答操作を検出すると上述したようにインタフェースボックス４に対し移動電話機５Ｂの着信応答要求を送信する。この着信応答要求の送信に対して、移動電話機５Ｂ側で着信応答が行われると、制御部２Ｄはスイッチ２Ｃを制御し、着信応答ボタン電話機３Ｂとインタフェースボックス４との間の内線通話パスを接続する。これにより、応答ボタン電話機３Ｂ，主装置２の内線インタフェース２Ａ（応答ボタン電話機３に対応するインタフェース），スイッチ２Ｃ，主装置２の内線インタフェース２Ａ（インタフェースボックス４に対応するインタフェース），インタフェースボックス４の伝送回路４１，音声処理部４３Ｂ，移動電話機インタフェース４２Ｂ，移動電話機５Ｂ，外部発呼者の経路で通話パスが形成され、ボタン電話機３Ｂの利用者と外部発呼者との間で通話が開始される。
【００２６】
一方、インタフェースボックス４から、移動電話機５Ｂへの着信データを受信したときに、他のボタン電話機の内線通話により内線通話パスが全て使用中であれば、ステップＳ１２の「通話パスは空いているか？」の判定は「Ｎ」となる。この場合、主装置２の制御部２Ｄは、その移動電話機５Ｂに対応するボタン電話機３Ｂの表示部にステップＳ１６で着信表示を行う。ここでその着信表示内容としては、移動電話機５Ｂが着信中の旨と、内線通話パスが塞がっている旨が表示される。この場合、ボタン電話機３Ｂの利用者は表示部の表示内容から着信応答が不可能と認識する。その後、制御部２ＤはステップＳ１７へ移行してその他の処理を行う。
【００２７】
なお、主装置２の制御部２Ｄはインタフェースボックス４から、移動電話機５Ａの着信の旨のデータを受信すると、対応のボタン電話機３Ａに、同様に移動電話機５Ａの着信の旨を表示すると共に、通話パスの空きの有無に応じた表示を行う。
さらに、主装置２の制御部２Ｄはインタフェースボックス４から、移動電話機５Ｃの着信の旨のデータを受信すると、対応のボタン電話機３Ｃに、移動電話機５Ｃの着信の旨を表示すると共に、通話パスの空きの有無に応じた表示を行う。
【００２８】
このように、インタフェースボックス４を会社ビル１内の主装置２の内線インタフェース２Ａに接続して、そのインタフェースボックス４を会社ビル１内の外部電波が受信可能なエリア６に設置し、かつ前記インタフェースボックス４に移動電話機５を収容するように構成したものである。これにより外部発呼者からの着信が移動電話機５に到来すると、その着信はインタフェースボックス４により検出可能になる。そして、インタフェースボックス４が移動電話機５への着信を検出すると主装置２へ送信する一方、主装置２では対応のボタン電話機３に移動電話機５の着信の旨を報知し、ボタン電話機３の利用者の応答操作を検出するとそのボタン電話機３と移動電話機５間の通話パスを形成するようにする。この結果、外部から会社内の移動電話機宛に発呼してその移動電話機を所有する社員に連絡をとることが可能になる。
また、移動電話機５宛の着信が検出されたときに通話パスが空いていない場合は移動電話機５の着信の旨と、通話パスの塞がりの旨を対応のボタン電話機３に表示するようにしたので、ボタン電話機３の利用者は外部から自身宛に電話があることを確認でき、その後の対応が容易になる。
【００２９】
なお、上記の実施の形態では、外部から移動電話機５Ａ，５Ｂ，５Ｃに着信が到来するとそれぞれ対応のボタン電話機３Ａ，３Ｂ，３Ｃに着信表示を行っているが、主装置２の制御部２Ｄ内の図示しないメモリに、移動電話機５Ａの着信の場合は例えばボタン電話機３Ａ，３Ｂに着信表示を行い、移動電話機５Ｂの着信の場合は例えばボタン電話機３Ｂ，３Ｃに着信表示を行い、かつ移動電話機５Ｃの着信の場合は例えばボタン電話機３Ａ，３Ｂ，３Ｃに着信表示を行うように各移動電話機５Ａ〜５Ｃの番号に対応して各ボタン電話機の内線番号を設定し、その設定に応じた内線番号のボタン電話機に着信表示を行うように構成することもできる。このように構成することにより、所望の社員が会社内に居ない場合でも外部発呼者は他の社員に用件を伝言できる。
【００３０】
【発明の効果】
以上説明したように本発明によれば、主装置に内線インタフェースを介して受信装置を接続し、かつ受信装置に移動電話機を収容するとともに、外部からの電波が届く位置に前記受信装置を設置し、受信装置は収容した移動電話機への電波による着信を検出すると移動電話機の着信情報として主装置に報知し、主装置はその着信情報をボタン電話機に通知し表示させるようにしたので、外部から会社内の移動電話機宛に発呼してその移動電話機を所有する社員に連絡を行う場合、受信装置は前記発呼に基づく移動電話機への着信を的確に検出してボタン電話機にその旨の着信表示を行うため、前記社員は自身が使用するボタン電話機に自身宛の着信が到来していることを容易に認識することができ、したがってその着信に応答すれば、外部発呼者と確実に連絡できる。
また、ボタン電話機の内線番号と受信装置に収容された移動電話機とを関連づけて設定し、移動電話機の着信情報が検出されるとその移動電話機に対応して設定されているボタン電話機に着信表示するようにしたので、所望の社員に対し確実に連絡できると共に、所望の社員が不在の場合に代わりの社員に対し用件などの伝言を行うことができる。
また、着信情報が通知されたボタン電話機の着信応答操作を検出すると応答操作したボタン電話機と着信検出された移動電話機との間の通話パスを形成するようにしたので、同様に外部から会社内の社員に確実に連絡できる。
また、受信装置から着信情報が報知されたときに空き通話パスがない場合はボタン電話機に対し着信情報の表示と、通話パスの塞がりを示す情報の表示とを行うようにしたので、移動電話機を所有する社員は、通話パスが塞がっている場合でも同様に自身宛の着信であることを容易に認識することができる。
【図面の簡単な説明】
【図１】本発明に係るボタン電話装置の要部構成を示すブロック図である。
【図２】上記ボタン電話装置の概略構成を示すブロック図である。
【図３】ボタン電話装置内のインタフェースボックスの動作を示すフローチャートである。
【図４】ボタン電話装置内の主装置の要部動作を示すフローチャートである。
【符号の説明】
１…会社ビル、２…主装置、２Ａ…内線インタフェース、２Ｂ…外線インタフェース、２Ｃ…スイッチ、２Ｄ，４４…制御部、３Ａ〜３Ｃ…ボタン電話機、４…インタフェースボックス、５Ａ〜５Ｎ…移動電話機、４１…伝送回路、４２Ａ〜４２Ｎ…移動電話機インタフェース、４３Ａ〜４３Ｎ…音声処理部。
【図１】
0003567189.tif 000002
【図２】
0003567189.tif 000003
【図３】
0003567189.tif 000004
【図４】
0003567189.tif 000005